(57)【特許請求の範囲】
【請求項１】
カウンタ部と、
カウンタ部の左右に固着された一対の上脚部と、
この両上脚部を昇降可能に支持する一対の下脚部と、
下端が下脚部に、上端が前記上脚部にそれぞれ連結された上下伸縮可能なガススプリングと、
少なくとも一方の前記ガススプリングに設けられ、伸縮のロック状態とフリー状態との切換え操作ができるロック機構であり、前記下脚部に対して上脚部を任意の高さ位置に固定する位置固定手段と、
一対の上脚部に水平軸の両端部を回転可能に枢着し、該水平軸の両端部とそれぞれの下脚部とを一対の支持機構により昇降可能に連結すると共に、前記一対の支持機構は、上脚部の昇降移動時に、該水平軸にその中心軸線回りに回転させる力を与え、前記水平軸が、前記左右両上脚部の下脚部に対する昇降移動とロックとを同期させる同期強制手段と、を備え、
前記支持機構は、一端部が前記水平軸の両端部にそれぞれ回転不能に固着された第１リンクと、一端部が該第１リンクに枢着され、他端部が下脚部に枢着される第２リンクと、から構成されていることを特徴とする家具装置。
【発明の詳細な説明】
【０００１】
【産業上の利用分野】
本発明は家具装置に関し、一対の脚部によってカウンタ部を上下移動可能に支持してカウンタ部の高さを調節できるようにしたキッチン装置、洗面化粧台、机等の家具装置に関する。
【０００２】
【従来の技術】
従来、基台上でカウンタ部を上下移動可能に支持してカウンタ部の高さを調整できるようにした家具装置が実開平３−３９４６４号として開示されている。
【０００３】
この家具装置を図６、７を用いて説明すると、家具装置０１は、天板０２を有するカウンタ部０１０と、前記カウンタ部０１０を基台０３上において昇降させる昇降装置０４とから構成されている。前記昇降装置０４は、特に図７に示されるように、前記天板０２の底面両端部に回転自在に軸支され、両端部に互いに逆雄ねじの切られたねじ棒０５と、前記ねじ棒０５と噛合するナット０６と、上端部が前記ナット０６に枢着され、下端部が前記基台０３上に軸着固定され、前記ナット０６の螺進退に対応して前記カウンタ部０１０を昇降させる連結リンク０７とから構成されている。
【０００４】
このように構成された昇降装置０４を両端に有するカウンタ部０１０は、ハンドル０８を回転させ、伝導部材０９を介して前記ねじ棒０５に回転を与えることにより、上下に昇降出来るようになっている。
【０００５】
【発明が解決しようとする課題】
しかしながら前述の発明にあっては、カウンタ部０１０を昇降させるためにはハンドル０８を介して手動で回転駆動させなければならないため、素早く移動させたり、あるいはカウンタ部０１０を大きく上昇、下降させるには、時間がかかると共に、作業量も多くなり、複雑であった。
【０００６】
そこで、昇降装置の駆動手段に電動モーター等を用いてカウンタ部０１０を自動的に昇降させるようにすることも可能ではあるが、装置が大がかりとなり、またコストも高くなってしまうといった問題があった。
【０００７】
本発明は、このような問題点に着目してなされたものであり、カウンタ部の高さ調節を素早く円滑に、かつ労力を使うことなく容易に行うことができる家具装置を提供することを目的としている。
【０００８】
【課題を解決するための手段】
上記課題を達成するため、本発明の家具装置は、カウンタ部と、カウンタ部の左右に固着された一対の上脚部と、この両上脚部を昇降可能に支持する一対の下脚部と、下端が下脚部に、上端が前記上脚部にそれぞれ連結された上下伸縮可能なガススプリングと、少なくとも一方の前記ガススプリングに設けられ、伸縮のロック状態とフリー状態との切換え操作ができるロック機構であり、前記下脚部に対して上脚部を任意の高さ位置に固定する位置固定手段と、一対の上脚部に水平軸の両端部を回転可能に枢着し、該水平軸の両端部とそれぞれの下脚部とを一対の支持機構により昇降可能に連結すると共に、前記一対の支持機構は、上脚部の昇降移動時に、該水平軸にその中心軸線回りに回転させる力を与え、前記水平軸が、前記左右両上脚部の下脚部に対する昇降移動とロックとを同期させる同期強制手段と、を備え、前記支持機構は、一端部が前記水平軸の両端部にそれぞれ回転不能に固着された第１リンクと、一端部が該第１リンクに枢着され、他端部が下脚部に枢着される第２リンクと、から構成されていることを特徴としている。
【００１３】
【作用】
下端が下脚部に、上端が上脚部にそれぞれ枢着されており、常に伸長方向に力の働くガススプリングによって、カウンタ部が支持されているため、位置固定手段のロック機構を解除することによりガス圧により上昇し、下方向に力を加えることにより容易に下降可能となる。また、前記ロック機構を作動させれば、カウンタ部を任意の高さに固定することができる。さらに、左右に設けられた前記両上脚部は、水平軸による同期強制手段でそれぞれの下脚部に対して常に昇降移動とロックとが同期的に働くため、カウンタ部は円滑にしかも水平状態を維持したまま昇降する。
【００１４】
位置固定手段が、少なくとも一方のガススプリングに設けられたロック機構であり、伸縮のロック状態とフリー状態との切換えが、例えばプッシュバルブの操作により行えるようになっているため、特別なロック機構を設けなくてもカウンタ部の昇降移動、位置固定を容易に行なえる。
【００１５】
同期強制手段が、両上脚部に左右端が回転可能に枢着された水平軸と、該水平軸両端部とそれぞれの下脚部とを昇降可能に連結する一対の支持機構とからなり、前記一対の支持機構は、上脚部の昇降移動時に、この水平軸にその中心軸線回りの回転力を与えるため、カウンタ部の昇降時、もしくはカウンタ部にアンバランスな力が局部的に上下方向へ加わるような場合でも、昇降により発生する水平軸の回転力が他方の支持機構に伝達されることにより、左右の昇降のズレが確実に防止される。
【００１６】
支持機構が、一端部が前記水平軸両端部にそれぞれ回転不能に固着された第１リンクと、一端部が該第１リンクに枢着され、他端部が下脚部に枢着される第２リンクと、から構成されていることにより、水平軸を、カウンタ部下面の外部から目立たない場所に設置することが出来る。
【００１８】
【実施例】
以下、本発明の実施例を図面に基づいて説明すると、まず図１は本発明実施例の家具装置１の正面断面図が示されており、該家具装置１は、カウンタ部２とその両側から下方に延びる上脚部３と、該上脚部３内に遊挿され、下端が床面に接地し、該上脚部３を昇降可能に支持する下脚部４とから構成される。尚、この実施例では前記上脚部３及び下脚部４はそれぞれ複数の脚板５、６によりほぼ箱形に形成されている。
【００１９】
上脚部３は、図１及び図２に示されるように、該上脚部３内に取付板１３を介して枢着された複数のガイドローラ７を介して下脚部４に対して昇降自在に支持されている。また、このガイドローラ７は断面略Ｈ型に形成され、下脚部４の脚板６に形成された凸溝８を介して該下脚部４に支持されるようになっているため、横ズレ等により下脚部４から容易に逸脱することはない。
【００２０】
また、左右上脚部３内には、ガススプリング９、９’がそれぞれ内装されており、少なくとも一方のガススプリング９（図１における右側）は、ロック機構を有している。該ロック機構を有するガススプリング９は、図２に示されるようにその本体部１０の上端がカウンタ部２下面に、ピストンロッド１１の下端が取付部材１２を介して下脚部４の脚板６の外面にそれぞれ固着され、上脚部３と下脚部４とを連結している。
【００２１】
ロック機構付ガススプリング９は、ピストンロッド１１内に延びるプッシュロッド１４により、ガススプリング９の本体部１０内に内設されたバルブ（図示せず）を開閉させることにより、ピストンロッド１１をガス圧により伸縮移動させるとともに、所定位置でロックできるようになっている。
【００２２】
また、取付部材１２に枢着されたアーム１８には、カバー１６で被覆されたワイヤー１５が固定され、このワイヤー１５は床面に載置されたフットペダル１７に連結されている。
【００２３】
このアーム１８の一点は、前記プッシュロッド１４先端に当接しており、ペダル１９を押圧することにより前記アーム１８がピストンロッド１１のプッシュロッド１４を押圧出来るようになっている。即ちフットペダル１７によりガススプリング９の伸縮作動をフリー又はロック状態にすることが出来るようになっている。
【００２４】
また、カウンタ部２下方近傍には、左右両端がそれぞれ両上脚部３、３の脚板５、５を貫通するように延びる水平軸２０が配設され、この水平軸２０の両端部には下脚部４に連結する支持機構としての昇降アーム２３の一端が回転不能に固定されており、前記水平軸２０と昇降アーム２３とは同期強制手段を構成している。即ち、この昇降アーム２３は水平軸２０の端部に回転不能に固定された第１リンク２１と、一端が下脚部４内において脚板６に枢着され、他端が前記第１リンク２１に枢着された第２リンク２２と、から構成されている。
【００２５】
このように構成された家具装置１のカウンタ部２を上昇させる場合は、フットペダル１７のペダル１９を介して、アーム１８によりピストンロッド１４を押圧する。すると、ガススプリング９の伸長しようとする力が家具装置１全体の荷重に勝るため、下脚部４に対して上脚部３を強制的に上昇させる。下降させる場合は、前述のようにペダル１９を押圧したまま、カウンタ部２上方よりさらに下方向へ荷重をかけてやればよい。
【００２６】
また、カウンタ部２を所望の高さに固定したい場合は、ペダル１９から足を離すことで、ガススプリング９の伸縮作動が停止、即ちガススプリング９内のロック機構が働き、容易に、しかも任意の高さ位置にカウンタ部２を止めることができる。
【００２７】
このようにカウンタ部２の昇降移動がガススプリング９を介して行われるようにすれば、安価で簡略な機構により、カウンタ部を円滑にしかも素早く昇降移動させることが出来るとともに、簡略なロック機構を用いて任意の高さに固定することが可能となる。
【００２８】
前述のようにカウンタ部２が昇降する際、本実施例においてはロック機構を有するガススプリング９はいずれか一方にのみにしか使用されていないが、両ガススプリング９、９’をともにロック機構付きのものとし、両ガススプリングを同ストロークでかつ同タイミングでロックさせるようにすることもできる。
【００２９】
しかし、本実施例の場合、構造を簡略化するためにロック機構は一方のガススプリング９にしか使用していない。そのため、このロック機構を有するガススプリング９の内設された側の上脚部３の昇降移動又は固定に対して、家具装置１の構造や荷重等の要因により、他方の上脚部３の昇降移動又は固定のタイミングにずれが生じてしまい、昇降移動に支障をきたすといったことも考えられる。そのため前述のように水平軸２０により左右両上脚部３同士を連絡することで、両上脚部３の昇降タイミングのズレを構造的にカバーするようになっている。
【００３０】
即ち、カウンタ部２の昇降に伴い、第１リンク２１と第２リンク２２とからなる両昇降アーム２３、２３が屈伸し、前記水平軸２０に回転力が与えられるようになっている。例えばいずれか一方の上脚部３に下方向の力が加えられた場合には、この力により一方の昇降アーム２３が屈曲しようとするが、この屈曲運動は水平軸２０を介して他方の昇降アーム２３に同様に屈曲させる回転力を与えるため、常にカウンタ部２は水平に移動することになる。この結果、片方にのみロック機構が付いていれば他方の上脚部３もこのロック機構に支配されることになり、左右両上脚部３は、水平軸２０および昇降アーム２３とを介し、より確実に同期的昇降、ロックが可能になり、円滑な作動と水平なカウンタ部の昇降が保障される。また、このようにすると両脚部に各々ロック機構等を設けたり、ガススプリング９等を同期的に作動させる別途装置を設ける必要がない。
【００３１】
図４には、同期強制手段の参考例が示されており、具体的な全体の構成は前述の実施例とほぼ同様であるが、水平軸２０の両端には昇降アーム２３の代りに下脚部４の側面に形成された直線状のラック２４に噛合するピニオン２５が軸着されている点が相違している。
【００３２】
前記ラック２４は、下脚部４の側面に形成された凹部２６内に形成されているため、ピニオン２５が容易に逸脱しないようになっている。なお、脚板５内を貫通する水平軸２０の端部はさらに延出され、取付板１３により枢着されている。また、図５に示されるように前記ピニオン２５の対向側には前述の実施例同様のガイドローラ７が枢着されている。
【００３３】
このように、上脚部３とともに水平軸２０が昇降し、これに伴いラック２４に噛合するピニオン２５により回転力もしくは固定力が左右両者相互に与えられるようになっているため、前述の実施例と同様の作用が生じ、円滑な作動と水平なカウンタ部の昇降が保障される。さらに前記ピニオン２５が、ガイドローラ７として機能することになるため、装置が簡略化される。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、本発明において、ガススプリングは左右に設置してあるが、いずれか一方のみでもよく、あるいは複数本内設されていてもよい。
【００３６】
また、位置固定手段がガススプリング以外に設けられ、水平軸の回転を規制するロック機構等であってもよい。
【００３７】
【発明の効果】
本発明によると次の効果を奏することができる。
【００３８】
（ａ）下端が下脚部に、上端が上脚部にそれぞれ枢着されており、常に伸長方向に力の働くガススプリングによってカウンタ部が支持されているため、位置固定手段のロック機構を解除することによりガス圧により上昇し、下方向に力を加えることにより容易に下降可能となる。また、前記ロック機構を作動させれば、カウンタ部を任意の高さに固定することができる。さらに、左右に設けられた前記両上脚部は、水平軸による同期強制手段でそれぞれの下脚部に対して常に昇降移動とロックとが同期的に働くため、カウンタ部は円滑にしかも水平状態を維持したまま昇降する。
【００３９】
（ｂ）位置固定手段が、少なくとも一方のガススプリングに設けられたロック機構であり、伸縮のロック状態とフリー状態との切換えが、例えばプッシュバルブの操作により行えるようになっているため、特別なロック機構を設けなくてもカウンタ部の昇降移動、位置固定を容易に行なえる。
【００４０】
（ｃ）同期強制手段が、両上脚部に左右端が回転可能に枢着された水平軸と、該水平軸両端部とそれぞれの下脚部とを昇降可能に連結する一対の支持機構とからなり、前記一対の支持機構は、上脚部の昇降移動時に、この水平軸にその中心軸線回りの回転力を与えるため、カウンタ部の昇降時、もしくはカウンタ部にアンバランスな力が局部的に上下方向へ加わるような場合でも、昇降により発生する水平軸の回転力が他方の支持機構に伝達されることにより、左右の昇降のズレが確実に防止される。
【００４１】
（ｄ）支持機構が、一端部が前記水平軸両端部にそれぞれ回転不能に固着された第１リンクと、一端部が該第１リンクに枢着され、他端部が下脚部に枢着される第２リンクと、から構成されていることにより、水平軸を、カウンタ部下面の外部から目立たない場所に設置することが出来る。
【００４３】
【図面の簡単な説明】
【図１】本発明の実施例の家具装置を表わす正面断面図である。
【図２】図１のＸ−Ｘ断面図である。
【図３】本発明の実施例の作動状態を表わす概略図である。
【図４】同期強制手段の参考例を示す家具装置の一部破断要部拡大図である。
【図５】図４の断面図である。
【図６】従来の家具装置を表わす全体斜視図である。
【図７】図６の要部拡大図である。
【符号の説明】
１            家具装置
２            カウンタ部
３            上脚部
４            下脚部
５            脚板
６            脚板
７            ガイドローラ
８            凸部
９、９’      ガススプリング
１０、１０’    本体部
１１            ピストンロッド
１２            取付部材
１３            取付板
１４            プッシュロッド
１５            ワイヤー
１６            カバー
１７            フットペダル
１８            押圧部材
１９            ペダル
２０            水平軸
２１            第１リンク
２２            第２リンク
２３            昇降アーム
２４            ラック
２５            ピニオン
２６            凹部
【図１】
0003568619.tif 000002
【図２】
0003568619.tif 000003
【図３】
0003568619.tif 000004
【図４】
0003568619.tif 000005
【図５】
0003568619.tif 000006
【図６】
0003568619.tif 000007
【図７】
0003568619.tif 000008